【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
スターリングシステムであって、
複動非流体式の複数のフリーピストンと、
複数の過剰ストローク防止装置と、を有し、各過剰ストローク防止装置は、前記複数のフリーピストンのうちの少なくとも異なる１つのフリーピストンに結合され、
更に、複数のシリンダを有し、各シリンダの中に、前記複数のフリーピストンのうちの異なる１つのフリーピストンが往復運動自在に配置され、
前記各シリンダは、前記各シリンダに対応して、前記複数のシリンダのうちの他のシリンダからなる異なるシリンダ対に、前記各シリンダを前記シリンダ対の第１のシリンダ及び第２のシリンダに流体的に結合させるように結合され、
更に、スターリングサイクル作動流体を有し、スターリングサイクル作動流体は、前記複数のフリーピストンと接触するように前記複数のシリンダの中に配置され、
前記各シリンダの中に配置されたフリーピストンの往復運動は、前記各シリンダに対応する前記シリンダ対の第１のシリンダの中に配置されたフリーピストンの往復運動にスターリングサイクル作動流体を介してのみ結合されると共に、前記各シリンダに対応する前記シリンダ対の第２のシリンダの中に配置されたフリーピストンの往復運動にスターリングサイクル作動流体を介してのみ結合される、スターリングシステム。
【請求項２】
前記各シリンダは、前記各シリンダに対応する前記シリンダ対の第１のシリンダとの間でスターリングサイクル作動流体の第１の部分を移送するように、前記第１のシリンダに結合されると共に、前記各シリンダに対応する前記シリンダ対の第２のシリンダとの間でスターリングサイクル作動流体の第２の部分を移送するように前記第２のシリンダに結合される、請求項１に記載のスターリングシステム。
【請求項３】
前記各シリンダは、ホットエンド及びコールドエンドを有し、
前記各シリンダは、前記各シリンダのホットエンドと前記各シリンダに対応する前記シリンダ対の第１のシリンダのコールドエンドとを結合させること、及び、前記各シリンダのコールドエンドと前記各シリンダに対応する前記シリンダ対の第２のシリンダのホットエンドとを結合させることによって、前記各シリンダに対応する前記シリンダ対に結合される、請求項２に記載のスターリングシステム。
【請求項４】
前記各シリンダは、前記各シリンダと前記各シリンダに対応する前記シリンダ対の第１のシリンダとを第１の熱交換器回路を介して結合させること、及び、前記各シリンダと前記各シリンダに対応する前記シリンダ対の第２のシリンダとを第２の熱交換器回路を介して結合させることによって、前記各シリンダに対応する前記シリンダ対に結合される、請求項２に記載のスターリングシステム。
【請求項５】
更に、複数の撓み軸受を有し、
前記各フリーピストンは、前記各フリーピストンが配置されるシリンダに、前記複数の撓み軸受のうちの少なくとも異なる１つの撓み軸受を介して結合される、請求項１に記載のスターリングシステム。
【請求項６】
前記複数のシリンダは、振動を減少させるために、前記複数のフリーピストンの作動によって生じる反力の大部分を打ち消す位置に互いに対して配置される、請求項１に記載のスターリングシステム。
【請求項７】
前記各過剰ストローク防止装置は、原動機を備えたリニアオルタネータを有し、
更に、コントローラを有し、前記コントローラは、前記過剰ストローク防止装置に結合されたフリーピストンの望ましくない移動を回避するように、前記原動機を制御するように構成される、請求項１に記載のスターリングシステム。
【請求項８】
前記コントローラは、往復運動の予め決められた終点を越える前記フリーピストンの移動を回避するように制御する、請求項２に記載のスターリングシステム。
【請求項９】
更に、アキュムレータを備えたチューニングシステムを有し、前記アキュムレータは、前記複数のシリンダのうちの少なくとも１つのシリンダに、第１の流体ライン及び第２の流体ラインを介して流体的に結合され、
前記第１の流体ラインは、第１の逆止弁を有し、前記第１の逆止弁は、前記少なくとも１つのシリンダから前記アキュムレータへの流体の流れを許すが、前記アキュムレータから前記少なくとも１つのシリンダへの流体の流れを防止するように構成され、
前記第２の流体ラインは、第２の逆止弁を有し、前記第２の逆止弁は、前記アキュムレータから前記少なくとも１つのシリンダへの流体の流れを許すが、前記少なくとも１つのシリンダから前記アキュムレータへの流体の流れを防止するように構成される、請求項１に記載のスターリングシステム。
【請求項１０】
スターリングシステムを作動させる方法であって、
複動非流体式の複数のフリーピストンの各々を、複数のシリンダのうちの異なる１つのシリンダの中に配置するステップと、
前記各フリーピストンがそれぞれのシリンダの中で往復運動することを可能にするステップと、
前記各フリーピストンのシリンダ内での往復運動を、前記各フリーピストンのシリンダ内での望ましくない移動を防止するように制御するステップと、
スターリングサイクル作動流体を、前記フリーピストンに接触するように前記シリンダの中に配置するステップと、
前記各フリーピストンの往復運動を、前記複数のフリーピストンのうちの異なるフリーピストン対の往復運動にスターリングサイクル作動流体を介してのみ結合させるステップと、を有する方法。
【請求項１１】
前記複数のフリーピストンの各々がシリンダの中で往復運動することを可能にする前記ステップにおいて、前記各フリーピストンをそれぞれのシリンダに少なくとも１つの撓み軸受を介して結合させる、請求項１０に記載の方法。
【請求項１２】
更に、スターリングサイクル作動流体の量を調節して、前記シリンダ内のフリーピストンの往復運動の周波数を調節するステップを有する、請求項１０に記載の方法。
【請求項１３】
更に、振動を減少させるために、前記複数のシリンダを、前記複数のフリーピストンの作動によって生じる反力の大部分を打ち消す位置に互いに対して配置するステップを有する、請求項１０に記載の方法。
【請求項１４】
更に、少なくとも１つのリニアオルタネータを、前記複数のフリーピストンのうちの少なくとも１つのフリーピストンに結合させるステップを有し、
前記各フリーピストンのシリンダ内での往復運動を制御する前記ステップにおいて、前記少なくとも１つのフリーピストンに結合されたリニアオルタネータの原動機の移動量を制御する、請求項１０に記載の方法。
【請求項１５】
前記各フリーピストンのシリンダ内での往復運動を制御する前記ステップにおいて、複式リニアオルタネータの２つの原動機をそれぞれ、前記各フリーピストン対の異なる１つのフリーピストンに結合させ、前記各フリーピストン対に対して、コントローラを使用して、前記複式リニアオルタネータの２つの原動機の移動量を制御するように前記複式リニアオルタネータのステータを制御する、請求項１０に記載の方法。
【請求項１６】
前記各フリーピストンのシリンダ内での往復運動を、望ましくない移動を防止するように制御する前記ステップにおいて、前記各フリーピストン又は前記各フリーピストンが配置されたシリンダの少なくとも一方に損傷を生じさせる前記各フリーピストンの移動を防止する、請求項１０に記載の方法。
【請求項１７】
更に、前記フリーピストンの往復運動から仕事を取出すステップを有する、請求項１０に記載の方法。
【請求項１８】
更に、仕事を前記フリーピストンの往復運動に入力するステップを有する、請求項１０に記載の方法。
【請求項１９】
スターリングシステムであって、
スターリングサイクル作動流体と、
スターリングサイクル作動流体と接触した複動非流体式の複数のフリーピストンと、
複数の過剰ストローク防止装置と、を有し、各過剰ストローク防止装置は、前記複数のフリーピストンのうちの少なくとも異なる１つのフリーピストンに結合され、
更に、複数のシリンダを有し、前記各シリンダの中に、スターリングサイクル作動流体が配置され、
前記各シリンダは、前記各シリンダに対応して、前記複数のシリンダのうちの他のシリンダからなる異なるシリンダ対に、前記各シリンダを前記シリンダ対の第１のシリンダに結合させて前記各シリンダと前記シリンダ対の第１のシリンダとの間でスターリングサイクル作動流体の第１の部分の移送を行い且つ前記各シリンダを前記シリンダ対の第２のシリンダに結合させて前記各シリンダと前記シリンダ対の第２のシリンダとの間でスターリングサイクル作動流体の第２の部分の移送を行うように結合され、
前記各フリーピストンは、前記複数のシリンダのうちの異なる１つのシリンダ内に往復運動自在に配置され、
前記異なる１つのシリンダ内に配置された前記各フリーピストンは、前記各フリーピストンに対応する前記シリンダ対の第１のシリンダ内に配置されたフリーピストンにスターリング作動流体を介して結合されると共に、前記各フリーピストンに対応する前記シリンダ対の第２のシリンダ内に配置されたフリーピストンにスターリングサイクル作動流体を介して結合される、スターリングシステム。
【請求項２０】
更に、複数の撓み軸受を有し、
前記各フリーピストンは、前記各フリーピストンに対応するシリンダ内に、前記複数の撓み軸受のうちの少なくとも異なる１つの撓み軸受を介して結合される、請求項１９に記載のスターリングシステム。
【請求項２１】
前記複数のシリンダは、振動を減少させるために、反力の大部分を打ち消す位置に互いに対して配置される、請求項１９に記載のスターリングシステム。
【請求項２２】
前記過剰ストローク防止装置は、２つの原動機を備えた少なくとも１つの複式リニアオルタネータを有し、各原動機は、前記複数のフリーピストンのうちの異なる１つのフリーピストンに結合され、
更に、コントローラを有し、前記コントローラは、前記過剰ストローク防止装置に結合されたフリーピストンの望ましくない移動を回避するように、少なくとも前記２つの原動機を制御するように構成される、請求項１９に記載のスターリングシステム。
【請求項２３】
前記コントローラは、前記フリーピストンの往復運動の予め決められた終点を越える前記各フリーピストンの移動を回避するように制御する、請求項２０に記載のスターリングシステム。
【請求項２４】
更に、アキュムレータを備えたチューニングシステムを有し、前記アキュムレータは、前記複数のシリンダのうちの少なくとも１つのシリンダに、第１の流体ライン及び第２の流体ラインを介して流体的に結合され、
前記第１の流体ラインは、第１の逆止弁を有し、前記第１の逆止弁は、前記少なくとも１つのシリンダから前記アキュムレータへの流体の流れを許すが、前記アキュムレータから前記少なくとも１つのシリンダへの流体の流れを防止するように構成され、
前記第２の流体ラインは、第２の逆止弁を有し、前記第２の逆止弁は、前記アキュムレータから前記少なくとも１つのシリンダへの流体の流れを許すが、前記少なくとも１つのシリンダから前記アキュムレータへの流体の流れを防止するように構成される、請求項１９に記載のスターリングシステム。
【請求項２５】
スターリングシステムを作動させる方法であって、
複動非流体式の複数のフリーピストンの各々が、複数のシリンダのうちの異なる１つのシリンダの中で往復運動することを可能にするステップと、
スターリングサイクル作動流体を、前記フリーピストンと接触するように前記シリンダの中に少なくとも部分的に配置するステップと、
前記各フリーピストンの前記シリンダ内での往復運動を、前記各フリーピストンのシリンダ内における移動を制限するように制御するステップと、
前記各シリンダを、前記複数のシリンダのうちの他のシリンダからなる異なるシリンダ対に流体的に結合させるステップと、を有し、前記結合させるステップにおいて、前記各シリンダを前記各シリンダに対応するシリンダ対の第１のシリンダに結合させ、スターリングサイクル作動流体の第１の部分を前記各シリンダと前記シリンダ対の第１のシリンダとの間で移送させ、前記各シリンダを前記各シリンダに対応するシリンダ対の第２のシリンダに結合させ、スターリングサイクル作動流体の第２の部分を前記各シリンダと前記シリンダ対の第２のシリンダとの間で移送させ、前記各シリンダの中に配置されたフリーピストンを、前記各シリンダに対応するシリンダ対の第１のシリンダの中に配置されたフリーピストンとスターリングサイクル作動流体を介して結合させると共に、前記各シリンダに対応するシリンダ対の第２のシリンダの中に配置されたフリーピストンとスターリングサイクル作動流体を介して結合させる、方法。
【請求項２６】
前記複数のフリーピストンの各々がシリンダの中で往復運動することを可能にする前記ステップにおいて、前記各フリーピストンをそれぞれのシリンダに少なくとも１つの撓み軸受を介して結合させる、請求項２５に記載の方法。
【請求項２７】
更に、スターリングサイクル作動流体の量を調節して、前記シリンダ内のフリーピストンの往復運動の周波数を調節するステップを有する、請求項２５に記載の方法。
【請求項２８】
更に、振動を減少させるために、前記複数のシリンダを、前記複数のフリーピストンの作動によって生じる反力の大部分を打ち消す位置に互いに対して配置するステップを有する、請求項２５に記載の方法。
【請求項２９】
更に、少なくとも１つのリニアオルタネータを、前記複数のフリーピストンのうちの少なくとも１つのフリーピストンに結合させるステップを有し、
前記各フリーピストンのシリンダ内での往復運動を制御する前記ステップにおいて、前記少なくとも１つのフリーピストンに結合されたリニアオルタネータの原動機の移動量を制御する、請求項２５に記載の方法。
【請求項３０】
前記各フリーピストンのシリンダ内での往復運動を制御する前記ステップにおいて、複式リニアオルタネータの２つの原動機をそれぞれ、前記各フリーピストン対の異なる１つのフリーピストンに結合させ、前記各フリーピストン対に対して、コントローラを使用して、前記複式リニアオルタネータの２つの原動機の移動量を制御するように前記複式リニアオルタネータのステータを制御する、請求項２５に記載の方法。
【請求項３１】
前記各フリーピストンの前記シリンダ内での往復運動を、前記各フリーピストンのシリンダ内における移動を制限するように制御する前記ステップにおいて、前記各フリーピストンの移動を、前記各フリーピストン又は前記各フリーピストンが配置されたシリンダの少なくとも一方に対する損傷を回避するのに十分制限する、請求項２５に記載の方法。
【請求項３２】
更に、前記フリーピストンの往復運動から仕事を取出すステップを有する、請求項２５に記載の方法。
【請求項３３】
更に、仕事を前記フリーピストンの往復運動に入力するステップを有する、請求項２５に記載の方法。
【請求項３４】
スターリングシステムであって、
機械的に互いに切り離された複動非流体式の複数のフリーピストンと、
複数の過剰ストローク防止装置と、を有し、各過剰ストローク防止装置は、前記複数のフリーピストンの少なくとも異なる１つのフリーピストンに結合され、
更に、複数のシリンダを有し、各シリンダの中に、前記複数のフリーピストンのうちの異なる１つのフリーピストンが往復運動自在に配置され、
前記各シリンダは、前記各シリンダに対応して、前記複数のシリンダのうちの他のシリンダからなる異なるシリンダ対に、前記シリンダ対の第１のシリンダ及び第２のシリンダに流体的に結合されるように結合され、
更に、スターリングサイクル作動流体を有し、スターリングサイクル作動流体は、前記複数のフリーピストンと接触するように前記複数のシリンダの中に配置され、
前記各フリーピストンの往復運動は、前記複数のフリーピストンの少なくとも別の１つのフリーピストンの往復運動にスターリングサイクル作動流体を介して結合され、スターリングサイクル作動流体は、前記各フリーピストンのシリンダと前記少なくとも別の１つのフリーピストンのシリンダとの間で移送され、
更に、前記フリーピストンの往復運動から仕事を取出す手段を有する、スターリングシステム。
【請求項３５】
スターリングシステムであって、
機械的に互いに切り離された複動非流体式の複数のフリーピストンと、
複数の過剰ストローク防止装置と、を有し、各過剰ストローク防止装置は、前記複数のフリーピストンの少なくとも異なる１つのフリーピストンに結合され、
更に、複数のシリンダを有し、各シリンダの中に、前記複数のフリーピストンのうちの異なる１つのフリーピストンが往復運動自在に配置され、
前記各シリンダは、前記各シリンダに対応して、前記複数のシリンダのうちの他のシリンダからなる異なるシリンダ対に、前記シリンダ対の第１のシリンダ及び第２のシリンダに流体的に結合されるように結合され、
更に、スターリングサイクル作動流体を有し、スターリングサイクル作動流体は、前記複数のフリーピストンと接触するように前記複数のシリンダの中に配置され、
前記各フリーピストンの往復運動は、前記複数のフリーピストンの少なくとも別の１つのフリーピストンの往復運動にスターリングサイクル作動流体を介して結合され、スターリングサイクル作動流体は、前記各フリーピストンのシリンダと前記少なくとも別の１つのフリーピストンのシリンダとの間を流れ、
更に、仕事を前記複数のフリーピストンの往復運動に供給する手段を有する、スターリングシステム。
【請求項３６】
スターリングシステムであって、
機械的に互いに切り離された複動非流体式の複数のフリーピストンと、
複数のシリンダと、を有し、各シリンダの中に、前記複数のフリーピストンのうちの異なる１つのフリーピストンが往復運動自在に配置され、
前記各シリンダは、前記各シリンダに対応して、前記複数のシリンダのうちのその他のシリンダからなる異なるシリンダ対に、前記各シリンダを前記シリンダ対の第１のシリンダ及び第２のシリンダに流体的に結合させるように結合され、
更に、スターリングサイクル作動流体を有し、スターリングサイクル作動流体は、前記複数のフリーピストンと接触するように前記複数のシリンダの中に配置され、
前記各シリンダの中に配置されたフリーピストンの往復運動は、前記各シリンダに対応する前記シリンダ対の第１のシリンダの中に配置されたフリーピストンの往復運動にスターリングサイクル作動流体及び前記各シリンダの流体カップリングを介して結合され、スターリングサイクル作動流体の第１の部分が、前記各シリンダと前記シリンダ対の第１のシリンダとの間で移送させられ、前記各シリンダ内のフリーピストンは、前記シリンダ対の第１のシリンダに対して位置決めされ、
また、前記各シリンダの中に配置されたフリーピストンの往復運動は、前記各シリンダに対応する前記シリンダ対の第２のシリンダの中に配置されたフリーピストンの往復運動にスターリングサイクル作動流体及び前記各シリンダの流体カップリングを介して結合され、スターリングサイクル作動流体の第２の部分が、前記各シリンダと前記シリンダ対の第２のシリンダとの間で移送させられ、前記各シリンダ内のフリーピストンは、前記シリンダ対の第２のシリンダに対して位置決めされる、スターリングシステム。
【請求項３７】
前記各シリンダは、ホットエンド及びコールドエンドを有し、
前記各シリンダは、前記各シリンダのホットエンドと前記各シリンダに対応する前記シリンダ対の第１のシリンダのコールドエンドとを結合させること、及び、前記各シリンダのコールドエンドと前記各シリンダに対応する前記シリンダ対の第２のシリンダのホットエンドとを結合させることによって、前記各シリンダに対応する前記シリンダ対に結合される、請求項３６に記載のスターリングシステム。
【請求項３８】
前記各シリンダは、前記各シリンダと前記各シリンダに対応する前記シリンダ対の第１のシリンダとを第１の熱交換器回路を介して結合させること、及び、前記各シリンダと前記各シリンダに対応する前記シリンダ対の第２のシリンダとを第２の熱交換器回路を介して結合させることによって、前記各シリンダに対応する前記シリンダ対に結合される、請求項３６に記載のスターリングシステム。
【請求項３９】
更に、アキュムレータを備えたチューニングシステムを有し、前記アキュムレータは、前記複数のシリンダのうちの少なくとも１つのシリンダに、第１の流体ライン及び第２の流体ラインを介して流体的に結合され、
前記第１の流体ラインは、第１の逆止弁を有し、前記第１の逆止弁は、前記少なくとも１つのシリンダから前記アキュムレータへの流体の流れを許すが、前記アキュムレータから前記少なくとも１つのシリンダへの流体の流れを防止するように構成され、
前記第２の流体ラインは、第２の逆止弁を有し、前記第２の逆止弁は、前記アキュムレータから前記少なくとも１つのシリンダへの流体の流れを許すが、前記少なくとも１つのシリンダから前記アキュムレータへの流体の流れを防止するように構成される、請求項３６に記載のスターリングシステム。
【請求項４０】
フリーピストン式スターリングシステムであって、
複動非流体式の複数のフリーピストンと、
複数のシリンダと、を有し、各シリンダの中に、前記複数のフリーピストンのうちの異なる１つのフリーピストンが往復運動自在に配置され、
前記各シリンダは、前記各シリンダに対応して、前記複数のシリンダのうちの他のシリンダからなる異なるシリンダ対に、前記シリンダ対の第１のシリンダ及び第２のシリンダに流体的に結合されるように結合され、
更に、スターリングサイクル作動流体を有し、スターリングサイクル作動流体は、前記複数のシリンダの中に配置され、
前記各シリンダの中に配置されたフリーピストンの往復運動は、前記シリンダ対の第１のシリンダの中に配置されたフリーピストンの往復運動にスターリングサイクル作動流体及び前記各シリンダの流体カップリングを介して結合され、スターリングサイクル作動流体の第１の部分が、前記各シリンダと前記シリンダ対の第１のシリンダとの間で移送させられ、前記各シリンダ内のフリーピストンは、前記シリンダ対の第１のシリンダに対して位置決めされ、
また、前記各シリンダの中に配置されたフリーピストンの往復運動は、前記シリンダ対の第２のシリンダの中に配置されたフリーピストンの往復運動にスターリングサイクル作動流体及び前記各シリンダの流体カップリングを介して結合され、スターリングサイクル作動流体の第２の部分が、前記各シリンダと前記シリンダ対の第２のシリンダとの間で移送させられ、前記各シリンダ内のフリーピストンは、前記シリンダ対の第２のシリンダに対して位置決めされ、
前記スターリングシステムは、別個のディスプレーサピストンを用いることなしに作動する、スターリングシステム。
【請求項４１】
前記各シリンダは、ホットエンド及びコールドエンドを有し、
前記各シリンダは、前記各シリンダのホットエンドと前記各シリンダに対応する前記シリンダ対の第１のシリンダのコールドエンドとを結合させること、及び、前記各シリンダのコールドエンドと前記各シリンダに対応する前記シリンダ対の第２のシリンダのホットエンドとを結合させることによって、前記各シリンダに対応する前記シリンダ対に結合される、請求項４０に記載のスターリングシステム。
【請求項４２】
前記各シリンダは、前記各シリンダと前記各シリンダに対応する前記シリンダ対の第１のシリンダとを第１の熱交換器回路を介して結合させること、及び、前記各シリンダと前記各シリンダに対応する前記シリンダ対の第２のシリンダとを第２の熱交換器回路を介して結合させることによって、前記各シリンダに対応する前記シリンダ対に結合される、請求項４０に記載のスターリングシステム。
【請求項４３】
更に、アキュムレータを備えたチューニングシステムを有し、前記アキュムレータは、前記複数のシリンダのうちの少なくとも１つのシリンダに、第１の流体ライン及び第２の流体ラインを介して流体的に結合され、
前記第１の流体ラインは、第１の逆止弁を有し、前記第１の逆止弁は、前記少なくとも１つのシリンダから前記アキュムレータへの流体の流れを許すが、前記アキュムレータから前記少なくとも１つのシリンダへの流体の流れを防止するように構成され、
前記第２の流体ラインは、第２の逆止弁を有し、前記第２の逆止弁は、前記アキュムレータから前記少なくとも１つのシリンダへの流体の流れを許すが、前記少なくとも１つのシリンダから前記アキュムレータへの流体の流れを防止するように構成される、請求項４０に記載のスターリングシステム。
【請求項４４】
スターリングシステムの作動方法であって、
互いに機械的に切り離された複数のフリーピストンの各々を、複数のシリンダのうちの異なる１つのシリンダの中に配置するステップと、
前記各フリーピストンがそれぞれのシリンダ内で往復運動することを可能にするステップと、
スターリングサイクル作動流体を前記シリンダ内に配置するステップと、
前記各フリーピストンの往復運動と、前記複数のフリーピストンのうちの前記各フリーピストンに対応する異なるフリーピストン対の往復運動とを、スターリングサイクル作動流体を介して結合させるステップと、
スターリングサイクル作動流体を、前記各フリーピストンと前記異なるフリーピストン対との間で移動させるステップと、を有する方法。
【請求項４５】
前記各フリーピストンの往復運動と、前記複数のフリーピストンのうちの前記各フリーピストンに対応する異なるフリーピストン対の往復運動とを、スターリングサイクル作動流体を介して結合させる前記ステップにおいて、前記各シリンダを、前記複数のシリンダのうちの前記各シリンダに対応する異なるシリンダ対に結合させ、前記シリンダ対の中に、前記シリンダ対に対応するフリーピストン対を配置し、前記各シリンダを前記各シリンダに対応するシリンダ対の第１のシリンダ及び第２のシリンダに流体的に結合させる、請求項４４に記載の方法。
【請求項４６】
更に、スターリングサイクル作動流体の量を調節して、前記シリンダ内のフリーピストンの往復運動の周波数を調節するステップを有する、請求項４４に記載の方法。
【請求項４７】
スターリングシステムであって、
スターリングサイクル作動流体と、
互いに機械的に切り離された複数の複動非流体フリーピストンと、
複数のシリンダと、を有し、前記複数のシリンダの中に、スターリングサイクル作動流体が配置され、
前記各シリンダは、前記各シリンダに対応して、前記複数のシリンダのうちの他のシリンダからなる異なるシリンダ対に、前記各シリンダを前記シリンダ対の第１のシリンダに結合させるように結合され、スターリングサイクル作動流体の第１の部分が、前記各シリンダと前記シリンダ対の第１のシリンダとの間で移送させられ、
また、前記各シリンダは、前記各シリンダに対応するシリンダ対に、前記各シリンダを前記シリンダ対の第２のシリンダに結合させるように結合され、スターリングサイクル作動流体の第２の部分が、前記各シリンダと前記シリンダ対の第２のシリンダとの間で移送させられ、
前記各フリーピストンは、前記複数のシリンダのうちの異なる１つのシリンダの中に往復運動自在に配置され、
前記各シリンダ内に配置されたフリーピストンは、前記各シリンダに対応する前記シリンダ対の第１のシリンダの中に配置されたフリーピストンにスターリングサイクル作動流体を介して配置され、且つ、前記各シリンダに対応する前記シリンダ対の第２のシリンダの中に配置されたフリーピストンにスターリングサイクル作動流体を介して配置される、スターリングシステム。
【請求項４８】
更に、アキュムレータを備えたチューニングシステムを有し、前記アキュムレータは、前記複数のシリンダのうちの少なくとも１つのシリンダに、第１の流体ライン及び第２の流体ラインを介して流体的に結合され、
前記第１の流体ラインは、第１の逆止弁を有し、前記第１の逆止弁は、前記少なくとも１つのシリンダから前記アキュムレータへの流体の流れを許すが、前記アキュムレータから前記少なくとも１つのシリンダへの流体の流れを防止するように構成され、
前記第２の流体ラインは、第２の逆止弁を有し、前記第２の逆止弁は、前記アキュムレータから前記少なくとも１つのシリンダへの流体の流れを許すが、前記少なくとも１つのシリンダから前記アキュムレータへの流体の流れを防止するように構成される、請求項４７に記載のスターリングシステム。
【請求項４９】
スターリングシステムを作動させる方法であって、
機械的に互いに切り離された複動非流体式の複数のフリーピストンの各々が、複数のシリンダのうちの異なる１つのシリンダの中で往復運動することを可能にするステップと、
スターリングサイクル作動流体を、少なくとも部分的に前記複数のシリンダの中に配置するステップと、
前記各シリンダを、前記各シリンダに対応して、前記複数のシリンダのうちの他のシリンダからなる異なるシリンダ対に流体的に結合させるステップと、を有し、前記結合させるステップにおいて、前記各シリンダを前記各シリンダに対応するシリンダ対の第１のシリンダに結合させ、スターリングサイクル作動流体の第１の部分を前記各シリンダと前記シリンダ対の第１のシリンダとの間で移送させ、前記各シリンダを前記各シリンダに対応するシリンダ対の第２のシリンダに結合させ、スターリングサイクル作動流体の第２の部分を前記各シリンダと前記各シリンダに対応するシリンダ対の第２のシリンダとの間で移送させ、前記各シリンダ内に配置されたフリーピストンを、前記各シリンダに対応するシリンダ対の第１のシリンダ内のフリーピストンにスターリングサイクル作動流体を介して結合させると共に、前記各シリンダに対応するシリンダ対の第２のシリンダ内のフリーピストンにスターリングサイクル作動流体を介して結合させる、方法。
【請求項５０】
更に、スターリングサイクル作動流体の量を調節して、前記シリンダ内のフリーピストンの往復運動の周波数を調節するステップを有する、請求項４９に記載の方法。
【請求項５１】
複数のシリンダを有し、各シリンダの中に複動非流体式のフリーピストンが配置されるスターリング機械用のシステムであって、
アキュムレータと、
前記アキュムレータ及び前記複数のシリンダのうちの少なくとも１つの第１のシリンダに流体的に結合された第１の流体ラインと、
前記第１の流体ライン内に配置され、開閉制御されるように構成された第１のソレノイド弁と、
前記第１の流体ライン内に配置された第１の逆止弁と、を有し、前記第１の逆止弁は、前記第１のソレノイド弁が開いているとき、前記少なくとも１つの第１のシリンダから前記アキュムレータへの流体の流れを許すが、前記アキュムレータから前記少なくとも１つの第１のシリンダへの流体の流れを防止するよう構成され、
更に、前記アキュムレータ及び前記複数のシリンダのうちの少なくとも１つの第２のシリンダに流体的に結合された第２の流体ラインを有し、前記少なくとも１つの第１のシリンダ及び前記少なくとも１つの第２のシリンダは、同一のシリンダ又は互いに異なるシリンダであり、
更に、前記第２の流体ライン内に配置され、開閉制御されるよう構成された第２のソレノイド弁と、
前記第２の流体ライン内に配置された第２の逆止弁と、を有し、前記第２の逆止弁は、前記第２のソレノイド弁が開いているとき、前記少なくとも１つの第２のシリンダから前記アキュムレータへの流体の流れを許すが、前記アキュムレータから前記少なくとも１つの第２のシリンダへの流体の流れを防止するよう構成される、システム。
【請求項５２】
複数のシリンダを有し、各シリンダの中に複動非流体式のフリーピストンが配置されるスターリング機械用のシステムであって、
アキュムレータと、
前記アキュムレータ及び前記複数のシリンダのうちの少なくとも１つの第１のシリンダに流体的に結合された第１の流体ラインと、
前記第１の流体ライン内に配置され、開閉制御されるように構成された第１の弁と、
前記第１の流体ライン内に配置された第１の逆止弁と、を有し、前記第１の逆止弁は、前記第１のソレノイド弁が開いているとき、前記少なくとも１つの第１のシリンダから前記アキュムレータへの流体の流れを許すが、前記アキュムレータから前記少なくとも１つの第１のシリンダへの流体の流れを防止するよう構成され、
更に、前記アキュムレータ及び前記複数のシリンダのうちの少なくとも１つの第２のシリンダに流体的に結合された第２の流体ラインを有し、前記少なくとも１つの第１のシリンダ及び前記少なくとも１つの第２のシリンダは、同一のシリンダ又は互いに異なるシリンダであり、
更に、前記第２の流体ライン内に配置され、開閉制御されるよう構成された第２の弁と、
前記第２の流体ライン内に配置された第２の逆止弁と、を有し、前記第２の逆止弁は、前記第２のソレノイド弁が開いているとき、前記少なくとも１つの第２のシリンダから前記アキュムレータへの流体の流れを許すが、前記アキュムレータから前記少なくとも１つの第２のシリンダへの流体の流れを防止するよう構成され、
更に、前記第１の弁及び前記第２の弁に結合されたコントローラを有し、前記コントローラは、前記スターリング機械に望ましい作動周波数に少なくとも部分的に基づいて、前記第１の弁及び前記第２の弁を制御するように構成される、システム。
【請求項５３】
複数の第１シリンダを有する第１の多シリンダ複動非流体フリーピストン機械を準備するステップを有し、前記複数の第１シリンダは、第１のスターリングサイクル作動流体を共有するように相互連結され、前記各第１シリンダの中に、第１フリーピストンが往復運動自在に取付けられ、前記第１フリーピストンに、過剰ストローク防止装置の少なくとも１つの可動構成要素が結合され、
更に、複数の第２シリンダを有する第２の多シリンダ複動非流体フリーピストン機械を準備するステップを有し、前記複数の第２シリンダは、第２のスターリングサイクル作動流体を共有するように相互連結され、前記複数の第１シリンダと前記複数の第２シリンダとは、前記複数の第１シリンダが第２のスターリングサイクル作動流体を共有することを防止し且つ前記複数の第２シリンダが第１のスターリングサイクル作動流体を共有することを防止するように分離され、前記各第２シリンダの中に、第２フリーピストンが往復運動自在に取付けられ、前記第２フリーピストンに、過剰ストローク防止装置の少なくとも１つの可動構成要素が結合され、
更に、前記第１フリーピストン及び前記第２フリーピストンの移動を前記過剰ストローク防止装置を用いて制御して、前記フリーピストンの往復運動によって生じた反力を打消すように、前記第１の多シリンダ複動非流体フリーピストン機械及び前記第２の多シリンダ複動非流体フリーピストン機械を互いに対して配置するステップを有する、作動振動を減少させる方法。